(57)【要約】【課題】鍛造成形時に形成されたパーティングラインを除去することがなく、積極的に活用すること。【解決手段】トラニオン２６ａ〜２６ｃと該トラニオン２６ａ〜２６ｃに外嵌されるホルダ４４との摺動部位には、相互に対向する一組の窪み部３６ａ、３６ｂが形成され、鍛造成形時において前記窪み部３６ａ、３６ｂから突出する凸状に形成されたパーティングライン３２は、前記窪み部３６ａ、３６ｂの内部に位置して前記ホルダ４４の内壁面と非接触状態に設けられ、前記トラニオン２６ａ〜２６ｃの窪み部３６ａ、３６ｂと前記ホルダ４４の内周面との間で形成されたクリアランス３８内に潤滑剤３９が充填され、前記潤滑剤３９は前記パーティングライン３２によって攪拌される。【選択図】図２
2007147073.tif 000002
【特許請求の範囲】
【請求項１】
所定間隔離間し軸線方向に沿って延在する複数の案内溝が内周面に設けられ一方の伝達軸に連結される筒状のアウタ部材と、前記アウタ部材の開口する内空部内に挿入されて他方の伝達軸に連結されるインナ部材とを有する等速ジョイントにおいて、
前記他方の伝達軸に外嵌されるスパイダボス部と、前記案内溝に向かって膨出する複数のトラニオンとが一体的に形成されたトリポート部材と、
前記トリポート部材に外嵌される環状の外嵌部材とを備え、
前記トラニオンの外周面には、球面部と、トルク負荷が付与される部位に相互に対向して形成された一組の窪み部とが設けられ、
前記窪み部には、前記トリポート部材を成形する金型の合わせ面によって形成されたパーティングラインが前記外嵌部材の内周面と非接触状態で設けられ、
前記トラニオンの窪み部と前記外嵌部材の内周面との間で形成されたクリアランス内に潤滑剤が充填され、前記潤滑剤は前記パーティングラインによって攪拌されることを特徴とする等速ジョイント。
【請求項２】
請求項１記載の等速ジョイントにおいて、
前記外嵌部材は、半径外方向に向かって突出する環状のフランジ部を有する円筒状のホルダからなることを特徴とする等速ジョイント。
【請求項３】
請求項２記載の等速ジョイントにおいて、
前記ホルダの外周面には、複数のベアリングを介してローラ部材が外嵌されることを特徴とする等速ジョイント。
【発明の詳細な説明】
【技術分野】
【０００１】
本発明は、例えば、自動車の駆動力伝達部において、一方の伝達軸と他方の伝達軸とを連結させる等速ジョイントに関する。
【背景技術】
【０００２】
従来より、自動車の駆動力伝達部では、一方の伝達軸と他方の伝達軸とを連結し回転力を各車軸へと伝達する等速ジョイントが用いられている。
【０００３】
この種の等速ジョイントに関し、特許文献１には、軸方向に沿った一端面及び他端面を有する胴部と、前記胴部の外周面に所定の中心角度で設けられた複数の球状部とを備えた球面スパイダの製造方法が開示されている。
【０００４】
この従来技術に係る球面スパイダの製造方法では、１つのプレス機に第１〜第３加工部を設け、先ず、第１加工部の下型に被加工材を設置した後、前記下型と上型とによってプレスすることにより前記胴部と該胴部の外周面に所定の中心角度で複数の突肉部とを形成する。続いて、前記被加工材を第１加工部から第２加工部へ移送した後、打ち抜き加工によって胴部の軸線方向に沿った一端面から他端面まで軸孔を貫通形成する。
【０００５】
次に、前記被加工材を第２加工部から第３加工部の下型へ移送した後、型閉めして前記下型の下パンチと上型の上パンチとを所定の逃げ用空間が形成されるように被加工材の前記軸孔に嵌挿し、且つ、複数の押圧体によって前記複数の突肉部を径方向の中心に向かって押圧して所定形状の球状部を形成し、且つ、余剰肉部を前記軸孔側の前記逃げ用空間へ逃がすことによって球面スパイダが製造されるとしている。
【０００６】
【特許文献１】特開２００２−１３７０４２号公報
【発明の開示】
【発明が解決しようとする課題】
【０００７】
しかしながら、前記特許文献１に開示された球面スパイダの製造方法では、第３加工部の下型と上型とを型閉めし、余剰肉部を軸孔側の逃げ用空間へと逃がすようにした場合であっても、前記第３加工部の下型と上型との間の合わせ面によって、成形品には、前記下型と上型との分割面に対応したパーティングラインが形成される。
【０００８】
従って、球面スパイダの球状部と前記球状部に外嵌されるローラ部材とを円滑に係合させるため、その係合面に形成された前記パーティングラインを除去するための研削加工（仕上げ加工）が必要となり、製造コストが高騰するという問題がある。
【０００９】
本発明は、前記の問題に鑑みてなされたものであり、鍛造成形時に形成されたパーティングラインを活用してトラニオンと外嵌部材との間に充填される潤滑剤を好適に攪拌させることにより、潤滑性を向上させることが可能な等速ジョイントを提供することを目的とする。
【課題を解決するための手段】
【００１０】
前記の目的を達成するために、本発明は、所定間隔離間し軸線方向に沿って延在する複数の案内溝が内周面に設けられ一方の伝達軸に連結される筒状のアウタ部材と、前記アウタ部材の開口する内空部内に挿入されて他方の伝達軸に連結されるインナ部材とを有する等速ジョイントにおいて、
前記他方の伝達軸に外嵌されるスパイダボス部と、前記案内溝に向かって膨出する複数のトラニオンとが一体的に形成されたトリポート部材と、
前記トリポート部材に外嵌される環状の外嵌部材とを備え、
前記トラニオンの外周面には、球面部と、トルク負荷が付与される部位に相互に対向して形成された一組の窪み部とが設けられ、
前記窪み部には、前記トリポート部材を成形する金型の合わせ面によって形成されたパーティングラインが前記外嵌部材の内周面と非接触状態で設けられ、
前記トラニオンの窪み部と前記外嵌部材の内周面との間で形成されたクリアランス内に潤滑剤が充填され、前記潤滑剤は前記パーティングラインによって攪拌されることを特徴とする。
【００１１】
本発明によれば、金型によって成形されたトリポート成形体に対し、上ダイと下ダイとの合わせ面によって前記合わせ面に対応するパーティングラインが形成され、前記パーティングラインが除去されることがなくそのまま完成品であるトリポート部材に残存される。この場合、トラニオンと該トラニオンに外嵌される外嵌部材との摺動部位には、窪み部が形成されており、前記摺動部位におけるパーティングラインは、前記窪み部の内部に位置して前記外嵌部材の内壁面と接触することがなく、且つ該外嵌部材との間で干渉しないように設けられている。
【００１２】
従って、本発明では、前記トラニオンの窪み部と前記外嵌部材の内周面との間でクリアランスが形成され、前記クリアランスを通じて供給された潤滑剤が前記パーティングラインによって攪拌されることにより潤滑性が向上する。
【００１３】
また、本発明では、パーティングラインを最終の仕上げ工程において除去することがなく前記パーティングラインを積極的に活用することにより、コストがかかる最終の仕上げ工程（研削加工工程）を省略して製造工程を簡略化することができ、トリポート部材を簡便に製造することができる。
【００１４】
さらに、本発明では、前記外嵌部材を、半径外方向に向かって突出する環状のフランジ部を有する円筒状のホルダによって構成すると共に、前記ホルダの外周面に、複数のベアリングを介してローラ部材が外嵌されるように構成することにより、簡素な構造によって製造コストを低減することができる。
【発明の効果】
【００１５】
本発明では、トラニオンの窪み部と外嵌部材の内周面との間でクリアランスが形成され、前記クリアランスを通じて供給された潤滑剤がパーティングラインによって攪拌されることにより潤滑性を向上させることができ、鍛造成形時に形成されたパーティングラインを最終の仕上げ工程において除去することがなく、前記パーティングラインを積極的に活用することができる。
【発明を実施するための最良の形態】
【００１６】
図１において参照符号１０は、本発明の実施の形態に係る等速ジョイントを示し、この等速ジョイント１０は、図示しない第１軸の一端部に一体的に連結されて開口部を有する筒状のアウタカップ（アウタ部材）１２と、第２軸１４の一端部に固着されてアウタカップ１２の孔部内に収納されるインナ部材１６とから基本的に構成される。
【００１７】
前記アウタカップ１２の内壁面には、図１に示されるように、軸線方向に沿って延在し、軸心の回りにそれぞれ１２０度の間隔をおいて３本の案内溝１８ａ〜１８ｃが形成される（但し、案内溝１８ｂ、１８ｃは図示するのを省略している）。前記案内溝１８ａ〜１８ｃは、中央部に形成された略平坦面からなる天井部２０と、前記天井部２０の両側に相互に対向して形成され、後述するローラ部材４０が転動する転動部２２ａ、２２ｂとから構成される。なお、前記転動部２２ａ、２２ｂの下部側には、前記ローラ部材４０を前記案内溝１８ａ〜１８ｃに沿って転動可能に支持する顎部２１が膨出して形成される。
【００１８】
第２軸１４にはトリポート部材２３が外嵌され、前記トリポート部材２３は、略円筒状に形成されたスパイダボス部２４と、前記スパイダボス部２４の外周面に一体的に形成され、それぞれ案内溝１８ａ〜１８ｃに向かって膨出し軸心の回りに１２０度の離間角度を有する３本のトラニオン２６ａ〜２６ｃとから構成される。
【００１９】
各トラニオン２６ａ〜２６ｃは、図２及び図３に示されるように、前記スパイダボス部２４の外周面から半径外方向に向かって膨出する首部２８と、前記首部２８と一体的に形成される頭部３０とから構成される。
【００２０】
この場合、トルク負荷が付与されるトラニオン２６ａ〜２６ｃの首部２８及び頭部３０の外表面、並びに、隣接するトラニオン２６ａ〜２６ｃ間のスパイダボス部２４の外周面には、後述する鍛造成形金型６０の合わせ面によって形成された微小な凸部からなり、第２軸１４の軸線と直交する一平面に沿って連続するパーティングライン３２が設けられる（図２及び図３参照）。
【００２１】
トラニオン２６ａ〜２６ｃの軸線と略平行に延在する前記頭部３０の外周面には周方向に沿って球面部３４が形成され、トルク負荷が付与される（駆動力が伝達される）前記頭部３０の外周面の一部には中心側に向かって僅かに窪んだ一組の窪み部３６ａ、３６ｂが相互に対向して形成される。
【００２２】
前記窪み部３６ａ、３６ｂには、前記パーティングライン３２がトラニオン２６ａ〜２６ｃの軸線と略平行に延在し、且つ窪み部３６ａ、３６ｂの壁面から半径外方向に向かって僅かに突出するように設けられる。この場合、前記窪み部３６ａ、３６ｂの形状は、図２に示されるように、トラニオン２６ａ〜２６ｃの軸線と略平行な直線状の帯体からなる曲面、又は、図３に示されるように、球面部３４の一部を切り欠いた略円形状の平坦面に形成され、あるいは、平面と曲面との図示しない複合面に形成されるとよい。
【００２３】
トラニオン２６ａ〜２６ｃに対して後述するホルダ４４が外嵌されたとき、前記ホルダ４４の内壁とトラニオン２６ａ〜２６ｃの一組の窪み部３６ａ、３６ｂとの間でクリアランス３８がそれぞれ形成され（図４及び図５参照）、前記クリアランス３８を介して容易に潤滑剤３９を注入することができると共に、前記クリアランス３８内に充填された潤滑剤３９によって潤滑性を向上させることができる。
【００２４】
また、前記クリアランス３８内において、ホルダ４４の内壁に向かって突出する前記パーティングライン３２の先端部（頂部）は、ホルダ４４の内壁に対して非接触状態に設けられ（図５参照）、前記窪み部３６ａ、３６ｂを構成する壁面が所定だけ頭部３０の中心側に向かって窪んだ窪み量に設定される。
【００２５】
トラニオン２６ａ（２６ｂ、２６ｃ）は、下部側に半径外方向に所定長だけ突出したフランジ部４４ａを有する円筒状のホルダ４４によって囲繞され、前記ホルダ４４に対して所定角度傾動自在に設けられる。前記ホルダ４４の外周面には、複数本のニードルベアリング４２を介してリング状のローラ部材４０が外嵌される。
【００２６】
なお、前記ホルダ４４は、トラニオン２６ａ〜２６ｃを外嵌する外嵌部材として機能するものであるが、前記外嵌部材はホルダ４４に限定されるものではなく、例えば、ホルダ４４を設けることがなくニードルベアリング４２を内径部に保持したローラ部材４０がトラニオン２６ａ〜２６ｃに対して直接的に外嵌される場合には、前記ローラ部材４０が外嵌部材として機能する。
【００２７】
各ニードルベアリング４２及びローラ部材４０は、ホルダ４４の環状溝に嵌着されたサークリップ４６及びワッシャ４８によって保持される。なお、前記ワッシャ４８を用いることがなくサークリップ４６のみでニードルベアリング４２及びローラ部材４０を保持することも可能である。
【００２８】
前記複数本のニードルベアリング４２は、ローラ部材４０の内周面に沿って略平行に並設され、各ニードルベアリング４２は、それぞれ略同一の直径を有し、略同一形状に形成されている。
【００２９】
本実施の形態に係る等速ジョイント１０は、基本的には以上のように構成されるものであり、次に、その動作並びに作用効果について説明する。
【００３０】
先ず、等速ジョイント１０の動作について説明する。
【００３１】
図示しない第１軸が回転すると、その回転力はアウタカップ１２を介してインナ部材１６に伝達され、トラニオン２６ａ〜２６ｃを通じて第２軸１４が所定方向に回転する。
【００３２】
すなわち、アウタカップ１２の回転力は、案内溝１８ａ（１８ｂ、１８ｃ）の転動部２２ａ、２２ｂに接触するローラ部材４０、複数本のニードルベアリング４２及びホルダ４４を介して、トラニオン２６ａ（２６ｂ、２６ｃ）に伝達されることにより前記トラニオン２６ａ（２６ｂ、２６ｃ）に係合する第２軸１４が回転する。
【００３３】
この場合、第１軸を有するアウタカップ１２に対して第２軸１４が所定角度傾斜すると、トラニオン２６ａ（２６ｂ、２６ｃ）は、その軸心を回動中心として矢印Ａ方向に沿って所定角度だけ回動する（図１参照）。
【００３４】
また、前記トラニオン２６ａ（２６ｂ、２６ｃ）は、ホルダ４４と接触しながら該トラニオン２６ａ（２６ｂ、２６ｃ）の軸線方向（矢印Ｂ方向）に沿って変位する（図１参照）。
【００３５】
さらに、前記トラニオン２６ａ（２６ｂ、２６ｃ）は、ローラ部材４０及びニードルベアリング４２の転動作用下に該トラニオン２６ａ（２６ｂ、２６ｃ）の軸線と略直交する方向（図１の紙面と直交する方向）に沿って変位する。
【００３６】
このようにして、第１軸の回転運動は、アウタカップ１２に対する第２軸１４の傾斜角度（作動角）に影響されることなく第２軸１４に円滑に伝達される。
【００３７】
次に、３本のトラニオン２６ａ〜２６ｃが膨出形成されたスパイダボス部２４を有するトリポート部材２３の製造工程について以下詳細に説明する。
【００３８】
先ず、準備工程において、略円柱体の浸炭鋼からなるワーク（ビレット）に対してボンデライト処理を施すと共に後述する鍛造成形金型６０との抱き付きを防止するために離型材を塗布した後、約４００℃〜６００℃の温度に加熱しておく。
【００３９】
次いで、図６に示される鍛造成形金型６０を使用してワークに対する鍛造成形を行うことにより、スパイダボス部２４の外周面に半径外方向に向かって３本のトラニオン２６ａ〜２６ｃが膨出形成されたトリポート成形体が形成される。
【００４０】
続いて、前記トリポート成形体のスパイダボス部２４の中心に対してピアス成形を施すことにより該スパイダボス部２４の軸線方向に沿って貫通する孔部が形成され、さらに前記孔部の軸線方向に沿った両端面及びその孔部の内壁に対するセレーション等のレース加工を施した後、浸炭焼き入れ及び焼き戻し等の熱処理工程を経て完成品としてのトリポート部材２３が完成する。
【００４１】
ここで、前記鍛造成形金型６０の構成について概略説明する。
【００４２】
図６に示されるように、この鍛造成形金型６０は、図示しない第１押圧機構に連結されて上下方向に沿って変位自在に設けられた鍛造成形用上パンチ６２ａと、前記鍛造成形用上パンチ６２ａと同軸状に配置され、図示しない第２押圧機構に連結されて上下方向に沿って変位自在に設けられた鍛造成形用下パンチ６２ｂとを含む。なお、前記鍛造成形用上パンチ６２ａと前記鍛造成形用下パンチ６２ｂとは、それぞれ同一に構成される。
【００４３】
さらに、前記鍛造成形金型６０は、図示しない昇降機構に連結された上ダイ６４と、図示しない固定ダイに位置決めされて固定された下ダイ６６とを有し、前記上ダイ６４及び下ダイ６６には、前記鍛造成形用上下パンチ６２ａ、６２ｂによって上下方向から加圧されて塑性流動する肉が流入してトラニオン２６ａ〜２６ｃを形成するための湾曲した凹部６８がそれぞれ設けられる。
【００４４】
なお、前記凹部６８には、トラニオン２６ａ〜２６ｂの球面部３４に対応し該球面部３４を形成するための図示しない球面成形部と、トラニオン２６ａ〜２６ｃの窪み部３６ａ、３６ｂに対応する凸部からなり該窪み部３６ａ、３６ｂを形成するための図示しない窪み成形部とが設けられる。
【００４５】
前記凹部６８に近接する部位には、上ダイ６４及び下ダイ６６が相互に接近する方向に向かって断面円弧状に膨出した第１及び第２ダイ成形部７０ａ、７０ｂがそれぞれ形成される。
【００４６】
この場合、下ダイ６６及び鍛造成形用下パンチ６２ｂによって形成される位置決め用のキャビティ内に円柱状のワーク（図示せず）を装填し、図示しない第１及び第２押圧機構を駆動させて鍛造成形用上下パンチ６２ａ、６２ｂを相互に接近させる方向に変位させることにより前記ワークが加圧される。
【００４７】
前記鍛造成形用上下パンチ６２ａ、６２ｂと略同時に図示しない昇降機構を付勢して上ダイ６４を下降させることにより前記上ダイ６４と前記下ダイ６６とが当接し、前記上ダイ６４及び下ダイ６６を型閉めすることにより前記上下ダイ６４、６６の凹部６８を介してトラニオン成形用のキャビティが形成される。
【００４８】
その際、鍛造成形用上下パンチ６２ａ、６２ｂによって加圧されたワークが塑性変形し、前記トラニオン成形用のキャビティに前記塑性変形した肉が流動しようとする肉流れが発生し、上ダイ６４及び下ダイ６６に設けられた第１及び第２ダイ成形部７０ａ、７０ｂによって好適に絞られた状態でトラニオン成形用のキャビティ内に流入するため、前記トラニオン成形用のキャビティの隅々まで塑性変形した肉が充填される。
【００４９】
本実施の形態では、鍛造成形金型６０によって鍛造成形されたトリポート成形体に対し、上ダイ６４と下ダイ６６との合わせ面によって前記合わせ面に対応するパーティングライン３２が形成され、前記パーティングライン３２が除去されることがなくそのまま完成品であるトリポート部材２３に残存される。
【００５０】
この場合、トラニオン２６ａ〜２６ｃと該トラニオン２６ａ〜２６ｃに外嵌されるホルダ４４との摺動部位には、窪み部３６ａ、３６ｂが形成されており、前記摺動部位におけるパーティングライン３２は、窪み部３６ａ、３６ｂの内部に位置して前記ホルダ４４の内壁面と接触することがなく、且つ該ホルダ４４との間で干渉しないように設けられている。
【００５１】
さらに、トラニオン２６ａ〜２６ｃの窪み部３６ａ、３６ｂとホルダ４４の内周面との間にクリアランス３８が形成され、前記クリアランス３８内に充填される潤滑剤３９が前記パーティングライン３２である凸部によって攪拌されるため、ホルダ４４の内周面及びトラニオン２６ａ〜２６ｃの外周面に対して潤滑剤３９を略均一に且つ隅々まで行きわたらせることができる。
【００５２】
すなわち、図７及び図８に示されるように、ホルダ４４に対してトラニオン２６ａ〜２６ｃが矢印Ｃ１又はＣ２方向に回転した際、窪み部３６ａ、３６ｂから突出するパーティングライン３２によって、例えば、クリアランス３８内に充填されたグリース、ワックス等の潤滑剤３９が攪拌されて前記トラニオン２６ａ〜２６ｃの回転方向に沿って矢印方向に移動する。このようにして攪拌された潤滑剤３９は、ホルダ４４の内周面とトラニオン２６ａ〜２６ｃの球面部３４との摺動部位５０ａ、５０ｂ内に好適に進入して潤滑性を高めることができる。
【００５３】
この結果、本実施の形態では、鍛造成形時に形成されたパーティングライン３２を除去することがなく積極的に活用して潤滑剤３９の攪拌作用を発揮させることにより、等速ジョイント１０における潤滑性を向上させ、終局的には等速ジョイント１０の耐久性を高めることができる。なお、前記パーティングライン３２の攪拌作用によって潤滑剤３９自体の均質化を図ることができる利点がある。
【００５４】
また、本実施の形態では、図９に示されるように、鍛造成形金型６０を構成する上ダイ６４及び下ダイ６６の成形面が摩耗してトラニオン２６ａ〜２６ｃに形成される窪み部３６ａ、３６ｂの窪み量が減少した場合であっても、パーティングライン３２の先端部（頂部）がホルダ４４の内周面と非接触状態に形成されて好適である。
【００５５】
さらに、本実施の形態では、前記パーティングライン３２の凸形状を、縦断面が鋭角状又は曲線状の頂部を有する形状、例えば、山形状とすることにより、浸炭焼き入れ及び焼き戻し等の熱処理工程（熱衝撃を含む）における歪み、変形、欠落等の防止を考慮した形状とすることができる。
【００５６】
さらにまた、本実施の形態では、トリポート部材２３に対しパーティングライン３２を残存させた場合であっても前記パーティングライン３２を除去する研削加工工程を省略することが可能となり、従来と同等の性能を維持して製造コストを低減することができる。
【００５７】
なお、完成品であるトリポート部材２３全体の外表面には、パーティングライン３２を除去するための研削加工（仕上げ加工）が施されていないため、浸炭焼き入れ処理によって形成される黒皮がそのまま残存する。本実施の形態では、トリポート部材２３全体の外表面に黒皮を残存させた場合であっても、従来から使用されているトリポート部材と同等の耐久性を得ることができる。
【図面の簡単な説明】
【００５８】
【図１】本発明の実施の形態に係る等速ジョイントの軸線と直交する方向に沿った部分拡大縦断面図である。
【図２】トリポート部材にパーティングラインが形成された状態を示す斜視図である。
【図３】トリポート部材にパーティングラインが形成された状態を示す斜視図である。
【図４】図１のＩＶ−ＩＶ線に沿った横断面図である。
【図５】図４の部分拡大横断面図である。
【図６】前記トリポート部材を製造するための鍛造成形金型の部分縦断面図である。
【図７】ホルダの内周面と窪み部との間で形成されたクリアランス内に潤滑剤が充填され、前記潤滑剤がパーティングラインによって攪拌される状態を示す部分拡大横断面図である。
【図８】ホルダの内周面と窪み部との間で形成されたクリアランス内に潤滑剤が充填され、前記潤滑剤がパーティングラインによって攪拌される状態を示す部分拡大横断面図である。
【図９】トラニオンに形成される窪み部の窪み量が減少した際に前記窪み部に形成されるパーティングラインの部分拡大横断面図である。
【符号の説明】
【００５９】
１０…等速ジョイント                １８ａ〜１８ｃ…案内溝
２１…顎部                          ２３…トリポート部材
２４…スパイダボス部                ２６ａ〜２６ｃ…トラニオン
３２…パーティングライン            ３４…球面部
３６ａ、３６ｂ…窪み部              ３９…潤滑剤
４０…ローラ部材                    ４２…ニードルベアリング
４４…ホルダ                        ４６…サークリップ
４８…ワッシャ                      ６０…鍛造成形金型
【図１】
2007147073.tif 000003
【図２】
2007147073.tif 000004
【図３】
2007147073.tif 000005
【図４】
2007147073.tif 000006
【図５】
2007147073.tif 000007
【図６】
2007147073.tif 000008
【図７】
2007147073.tif 000009
【図８】
2007147073.tif 000010
【図９】
2007147073.tif 000011